(57)【特許請求の範囲】
【請求項１】
表示体と、この表示体をその背面で支えている支持体とからなり、
上記表示体には商品、サービスなどに関する情報が表示される表示部を設けてあり、
上記支持体は連結部、折り曲げ部及び可動部を備えており、上記連結部と折り曲げ部、この折り曲げ部と可動部とは互いにヒンジを介して接続されており、
上記連結部は、上記ヒンジとは反対側が掛け止め部を設けてあると共に、上記表示体に連結されており、上記折り曲げ部は幅方向に沿って少なくとも二つ折り自在であり、上記可動部と連結部とは着脱手段によって着脱可能であることを特徴とする表示スタンド。
【請求項２】
着脱手段は、連結部に形成している係止部、可動部のヒンジとは反対側の端部に設けてある係合部とからなることを特徴とする請求項１記載の表示スタンド。
【請求項３】
折り曲げ部は二つ折り自在であることを特徴とする請求項１又は請求項２記載の表示スタンド。
【発明の詳細な説明】
【０００１】
【発明の属する技術分野】
この発明は、例えばデパート、商店、ホテル、レストランなどで利用できる商品やサービスなどに関する情報の表示スタンドに関する。
【０００２】
【従来の技術】
従来、ホテル、レストラン、喫茶店、居酒屋、食堂、デパート、商店などでは、例えば提供する商品又はサービス名とその価格を表示した表示板とこの表示板を支える支持体とからなる表示スタンドが提案されている。表示スタンドの例として、支持体を台板としてこれに表示板を起立させたＴ字形のもの、上記表示板の起立角度を調整できるＴ字形のもの、そして支持体に側面Ｕ字状の台を用いて、表示板をＵ字溝内に差込むもの、支持体を正面溝形で、側面Ｌ字形のフレームで構成して、フレーム内に表示板を挿入するものなどがある。
来客者は表示スタンドに表示された商品又はサービス情報を参照しながら希望する品名又はサービス名を注文するのである。
【０００３】
【発明が解決しようとする課題】
従来例によると、表示の多様性に関して、せいぜい表示板の起立角度変える程度であってその多様性に限界があり、また商品価値を高めて表示スタンドの販売促進を図るためには更なる改良が要求されていた。
この発明の目的は、表示の多様性を図ると共に商品価値を高めることにある。
【０００４】
【課題を解決するための手段】
本発明の第１の特徴は、表示体と、この表示体をその背面で支えている支持体とからなる点にある。上記表示体には商品、サービスなどに関する情報が表示される表示部を設けてある。上記支持体は連結部、折り曲げ部及び可動部を備えており、上記連結部と折り曲げ部、この折り曲げ部と可動部とは互いにヒンジを介して接続されている。上記連結部は、上記ヒンジとは反対側が掛け止め部を設けてあると共に、上記表示体に連結されている。上記折り曲げ部は幅方向に沿って少なくとも二つ折り自在である。上記可動部と連結部とは着脱手段によって着脱可能である。
本発明の第２の特徴は、第１の特徴を前提としており、着脱手段が連結部に形成している係止部と、可動部のヒンジとは反対側の端部に設けてある係合部とからなる点にある。
本発明の第３の特徴は、第１又は第２の特徴を前提としており、折り曲げ部の構成を簡単にするために、折り曲げ部が二つ折り自在である点にある。
【０００５】
【作用】
支持体の可動部を起立させて連結部に結合させることにより、表示スタンドを例えば卓上に置いた状態で表示することができる（第１の表示形態）。そして支持体の可動部を起立させることなく、伏せた状態にして、可動部上に収納容器などの固定手段を置いて、この固定手段に連結部の背部を当接することにより表示スタンドを上記固定手段に背もたれ状態で表示することができる（第２の表示形態）。さらに、支持体を折り畳んだ状態にして連結部の掛け止め部を陳列棚のような支持手段に止めることにより表示スタンドを上記支持手段に吊った状態で表示することができる（第３の表示形態）。
【０００６】
【発明の実施の形態】
図面を参照して本発明の実施の形態について説明する。
図１、図２及び図５に示す本発明に係る表示スタンドＳは、表示体１と、この表示体をその背面で支えている支持体２とからなる。
表示体１には商品、サービスなどに関する情報（例えばメニュー、価格情報、説明情報、宣伝広告、指示情報など）が表示される表示部を設けてあり、表示部として図示の例では表示板３が用いられている。表示板３は表面に情報が表示された状態で表示体１の正面に配置され、正面上下かつ水平方向に幅全長に亘って形成されている支持溝１ａにスライド自在に支持されている。多種類の表示板３を用意しておけば、表示スタンドＳの用途に応じて、表示板を交換することにより、表示体１の正面に適切な情報を表示することができる。表示体１の背面上部には穴部１ｂを設けてある。
図１乃至図４において、支持体２は連結部４、折り曲げ部５及び可動部６を備えており、連結部４と折り曲げ部５、この折り曲げ部と可動部６とは互いにヒンジ７，８を介して接続されており、さらに折り曲げ部５はヒンジ９を中心として幅方向に沿って折り曲げ自在である。
連結部４は、図３下端側に配置されているヒンジ７とは反対側の上端側に掛け止め部４ａを設けてある。掛け止め部４ａは図１に示すように円弧状のフックで構成しても良いが、その形状は問わない。連結部４は、上端側で掛け止め部４ａより下側に係止部である係止孔４ｂを開けてある。また連結部４には、これを図１に示すように表示体１の背面にビス１０によって固定するために、複数のビス孔４ｃ（図３）が設けられている。
折り曲げ部５は図３及び図４に示す例ではヒンジ９を中心として二つ折り自在である。
可動部６は、図３上端側に配置されているヒンジ８とは反対側の下端側に係合部６ａを設けてある。係合部６ａは図４に示すように円弧状のフックで構成しても良いが、その形状は問わない。
表示体１、連結部４及び可動部６の相互の関係を説明する。
図１及び図２に示すように、表示体１の穴部１ｂと連結部４の係止孔４ｂとは連なっており、また可動部６の係合部６ａは係止孔４ｂに対して着脱可能であり、さらに係合部６ａは穴部１ｂ内に入り込んで、係止孔４ｂとの係合状態が維持されている。穴部１ｂの内部形状は係合部の着脱動作を妨げない程度の大きさと深さを有している。
【０００７】
次に、表示スタンドＳの使用形態を説明する。
〔第１の使用形態〕
この使用形態は図１及び図２に示している。すなわち、
ヒンジ８を中心として可動部６を反時計方向に回転させて係合部６ａを連結部４の係止孔４ｂに掛け止め、支持体２を図１に示すようにほぼ三角形状に組み立てて表示体１を背面側で支える。このような状態で表示スタンドＳを卓上などに置いて使用する。
〔第２の使用形態〕
この使用形態は図６に示している。すなわち、
折り曲げ部５及び可動部６をほぼ水平状態にして、これを固定手段となる収納容器（図示の例ではパンかご）１１の底面に差し入れて、連結部４の背部を収納容器に当てる。折り曲げ部５及び可動部６は収納容器１１に固定されると共に、連結部が収納容器に背もたれ状態となり、その結果表示体１を表示スタンドＳと収納容器１１で支えられた状態になる。
この使用形態（表示形態）は、表示体１と表示の対象物（図示の例では収納容器１１）とが密着されるために、表示と表示の対象物との一体感を出したい場合や、収納容器１１の前面側に表示スタンドＳを組み立てて置いておくスペースがない場合などに好都合である。
〔第３の使用形態〕
この使用形態は図７に示している。すなわち、
折り曲げ部５をヒンジ９を中心として逆Ｖ字形に折り曲げ、連結部４と可動部６を接近させて、連結部４の係止孔４ｂ（図４参照）に可動部６の係合部６ａを掛け止め、支持体２全体を表示体１の背面に折り畳んだ状態にする。
この状態で、支持手段、例えば陳列棚１２の縁部１２ａに連結部４の掛け止め部４ａを掛け止めると、表示スタンドＳは陳列棚１２に吊られた状態で商品などの表示が可能となる。
この使用形態（表示形態）は、陳列棚１２に表示スタンドＳを組み立てて置いておくことが困難な場合や、設置状態が不安定な場合などに好都合である。
なお、上記使用形態において、支持体２を折り畳むことなく、表示体１の背面下方に垂れ下げるようにしても良い。
【０００８】
図８に示す支持体２２はプラスチックで一体成形されており、ヒンジ２７，２８，２９は薄肉加工されている。可動部２６の係合部２６ａは連結部２４に突出されている係止部２４ｂ１，２４ｂ２に係合可能である。係止部２４ｂ１，２ｂ４２を多段に設けることにより、可動部２６の係合部２６ａの係合位置が変わるために連結部の傾斜角度が変化する。このために表示体の表示角度が調整可能となる利点がある。また係止部２４ｂ１，２４ｂ２を突出させて、表示体に穴部１ｂに相当するものを設ける必要がないから、加工上の利点がある。２４ａは連結部２４の掛け止め部である。
【０００９】
表示体１に関して、表示板３を介して情報を表示しているが、表面に直接又は間接的に表示してもよく、その表示方法は図示の例に限定されない。
支持体２に関して、材質、形状は図示の例に限定されない。また支持体２，２２に関して、掛け止め部４ａ，２４ａ、着脱手段である係止部４ｂ，２４ｂ１，２４ｂ２及び係合部６ａ，２６ａの構成は図示のものに限定されない。折り曲げ部２５は三つ折り以上であってもよく、二つ折りに限定されない。
【００１０】
【発明の効果】
本発明によれば、簡単な構成によって表示の多様化を図ることができ、多様化の実現により商品価値が高められ、その分表示スタンドの販売促進に役立つことができる。
【図面の簡単な説明】
【図１】本発明に係る表示スタンドの使用形態を示す一部切欠側面図である。
【図２】本発明に係る表示スタンドの使用形態を示す背面図である。
【図３】本発明に係る表示スタンドにおける支持体を展開した状態を示す背面図である。
【図４】本発明に係る表示スタンドにおける支持体を展開した状態を示す一部切欠側面図である。
【図５】本発明に係る表示スタンドの使用形態を示す正面図である。
【図６】本発明に係る表示スタンドの他の使用形態を示す側面図である。
【図７】本発明に係る表示スタンドのさらに他の使用形態を示す側面図である。
【図８】本発明に係る表示スタンドに用いる支持体の他の例を展開した状態を示す側面図である。
【符号の説明】
Ｓ              表示スタンド
１              表示体
１ｂ            穴部
２，２２        支持体
３              表示板（表示部）
４，２４        連結部
４ａ，２４ａ    掛け止め部
４ｂ，２４ｂ１，２４ｂ２      係止孔（着脱手段である係止部）
５，２５        折り曲げ部
６，２６        可動部
６ａ，２６ａ    係合部（着脱手段）
７，８，９，２７，２８，２９  ヒンジ
１１            収納容器
１２            陳列棚
【図１】
0003960821.tif 000002
【図２】
0003960821.tif 000003
【図３】
0003960821.tif 000004
【図４】
0003960821.tif 000005
【図５】
0003960821.tif 000006
【図６】
0003960821.tif 000007
【図７】
0003960821.tif 000008
【図８】
0003960821.tif 000009